(57)【要約】【課題】  指標釦のような余分な部品を用いずにダイヤルつまみの不慮の回転を防止することのできる携帯機器ダイヤルつまみのロック装置を提供する。【解決手段】  携帯機器の筐体１に回転操作型のダイヤルつまみ２を装備させた携帯機器に適用される。ダイヤルつまみ２が、操作部２１と、筐体１側の長孔でなる開口１４内に回転可能に配備された首部２２とを備える。首部２２が開口内で移動することにより、ダイヤルつまみ２が回転操作位置である第１位置とロック位置である第２位置との間でスライドする。突起４１を開口１側に設け、係合部４２をダイヤルつまみ２側に設けておき、ダイヤルつまみ２を第１位置から第２位置にスライドさせると、突起４１に係合部４２が係合してダイヤルつまみ２がロックされる。ダイヤルつまみ２を第２位置から第１位置にスライドさせると、ダイヤルつまみ２のロックが解除される。【選択図】        図５
2008198502.tif 000002
【特許請求の範囲】
【請求項１】
携帯機器の筐体に回転操作型のダイヤルつまみが装備されている携帯機器ダイヤルつまみのロック装置であって、
上記ダイヤルつまみが、上記筐体の外側に回転操作可能に配備された操作部と、この操作部に一体に連設されて上記筐体に具備された長孔でなる開口内に回転可能に配備され、かつ、その長孔のまっすぐな縁部によって形成されたガイド辺に案内されて移動する円柱状の首部とを備えていて、この首部の外周面が上記長孔の一端側の円弧状の縁部に摺動回転自在に当接する位置がダイヤルつまみの第１位置として定められ、かつ、この首部の外周面が上記長孔の他端側の円弧状の縁部に当接する位置がダイヤルつまみの第２位置として定められていると共に、上記第１位置がダイヤルつまみの回転操作位置として、上記第２位置がダイヤルつまみのロック位置として、それぞれ定められ、
突起とこの突起が係脱される係合部とのうちの突起を、上記長孔の他端側の円弧状の縁部からその長孔の内側に突出させてあるのに対して、上記係合部を上記首部の外周面の周方向の１箇所に凹入状に形成してあり、ダイヤルつまみが第１位置に位置しているときには上記突起が上記係合部から離脱した状態に保たれてダイヤルつまみの回転操作が許容され、ダイヤルつまみを回転操作方向での初期位置に位置させた状態で第１位置から第２位置にスライドさせることによって、上記突起が上記係合部に係合してダイヤルつまみの回転が阻止されるようになっていると共に、上記操作部と上記筐体の外面とに、ダイヤルつまみの上記初期位置を指し示す指標が施され、かつ、上記初期位置が、そのダイヤルつまみに割り当てられた当該携帯機器の電源オフ位置であることを特徴とする携帯機器ダイヤルつまみのロック装置。
【請求項２】
携帯機器の筐体に回転操作型のダイヤルつまみが装備されている携帯機器ダイヤルつまみのロック装置であって、
上記ダイヤルつまみが上記筐体に対して回転操作位置としての第１位置とロック位置としての第２位置との間でスライド可能に取り付けられ、突起とこの突起が係脱される係合部とのうちの一方が上記筐体に備わり、かつ、他方が上記ダイヤルつまみに備わっていて、ダイヤルつまみが第１位置に位置しているときには上記突起が上記係合部から離脱した状態に保たれてダイヤルつまみの回転操作が許容され、ダイヤルつまみを回転操作方向での初期位置に位置させた状態で第１位置から第２位置にスライドさせることによって、上記突起が上記係合部に係合してダイヤルつまみの回転が阻止されるようになっている携帯機器ダイヤルつまみのロック装置。
【請求項３】
上記ダイヤルつまみが、上記筐体の外側に回転操作可能に配備された操作部と、この操作部に一体に連設されて上記筐体に具備された開口内に回転可能に配備され、かつ、その開口の縁部の一部に形成されたガイド辺に案内されて移動することにより当該ダイヤルつまみを第１及び第２の各位置相互間でスライドさせる首部とを備え、上記突起と上記係合部とのうちの一方が上記開口の縁部の他の一部に形成されていると共に、その他方が上記首部の１箇所に形成されている請求項２に記載した携帯機器ダイヤルつまみのロック装置。
【請求項４】
上記突起が上記開口の縁部の他の一部をその開口の内側に突出させることによって形成されていると共に、上記係合部が上記首部の１箇所に凹入状に形成されている請求項３に記載した携帯機器ダイヤルつまみのロック装置。
【発明の詳細な説明】
【技術分野】
【０００１】
本発明は、携帯型のテレビジョン受像機、ラジオ受信機、ボイスレコーダといった携帯機器に備わっている回転操作型のダイヤルつまみを回転操作不能にするためのロック装置に関する。
【背景技術】
【０００２】
回転操作型のダイヤルつまみに電源のオンオフを行う機能が割り当てられている携帯機器では、そのダイヤルつまみを電源オフ位置に定めてから被服のポケットやカバンなどに入れて持ち歩くときに、ダイヤルつまみが電源オフ位置から不慮に回転して電源オン位置になったりすると電力が無駄に消費されてしまう。
【０００３】
そこで、従来より、ダイヤルつまみが不慮に回転してしまうことを防ぐための構造が提案されている（たとえば、特許文献１、特許文献２参照）。そのうち、特許文献１には、回転操作ダイアルに一体にヒンジとしての連結部を介してフックを具備させておき、そのフックを本体ケース側のロック溝に対して係脱させるようにしたものが開示されている。また、特許文献２には、モードダイヤルの近傍箇所に指標釦を配置し、この指標釦を押圧することにより、ロックバネによるモードダイヤルの係止を解除させるようにするための構成が開示されている。
【特許文献１】特開２００５−３５２２１４号公報
【特許文献２】特開２００３−７５８９８号公報
【発明の開示】
【発明が解決しようとする課題】
【０００４】
しかしながら、特許文献１によって提案されているものでは、回転操作ダイアルにフックを一体に具備させることを要するため、回転操作ダイアルの形状が複雑化してその製作コストが高くつくという問題がある。また、特許文献２によって提案されているものでは、指標釦が余分に必要になって部品点数が増加するために、組立工数や組立コストがたかくつくという問題がある。
【０００５】
本発明は以上の問題に鑑みてなされたものであり、携帯機器のダイヤルつまみの形状が複雑にならず、しかも、指標釦のような余分な部品を用いることなく、ダイヤルつまみの不慮の回転を防止することのできる携帯機器ダイヤルつまみのロック装置を提供することを目的とする。
【０００６】
また、本発明は、回転操作型のダイヤルつまみ自体を筐体に対してスライドさせることによってダイヤルつまみの不慮の回転を防止することのできる携帯機器ダイヤルつまみのロック装置を提供することを目的とする。
【課題を解決するための手段】
【０００７】
本発明に係る携帯機器ダイヤルつまみのロック装置は、携帯機器の筐体に回転操作型のダイヤルつまみが装備されている。そして、上記ダイヤルつまみが上記筐体に対して回転操作位置としての第１位置とロック位置としての第２位置との間でスライド可能に取り付けられ、突起とこの突起が係脱される係合部とのうちの一方が上記筐体に備わり、かつ、他方が上記ダイヤルつまみに備わっていて、ダイヤルつまみが第１位置に位置しているときには上記突起が上記係合部から離脱した状態に保たれてダイヤルつまみの回転操作が許容され、ダイヤルつまみを回転操作方向での初期位置に位置させた状態で第１位置から第２位置にスライドさせることによって、上記突起が上記係合部に係合してダイヤルつまみの回転が阻止されるようになっている。
【０００８】
この構成であると、ダイヤルつまみを回転操作方向での初期位置に位置させた状態で第１位置から第２位置にスライドさせると、係合部に係合した突起がダイヤルつまみの回転を阻止してダイヤルつまみをロックする。これに対し、ダイヤルつまみを第２位置から第１位置にスライドさせると、突起が係合部から離脱してダイヤルつまみを回転操作することができるようになる。また、この発明では、ダイヤルつまみをロックするための突起と係合部とが、ダイヤルつまみやそのダイヤルつまみが装備されている筐体に備わっているために、上掲の特許文献２に見られるような指標釦を余分に用いる必要がなくなり、そのことが必要部品点数の増加を抑えることに役立つので、携帯機器の量産性を高める上で有益である。
【０００９】
本発明では、上記ダイヤルつまみが、上記筐体の外側に回転操作可能に配備された操作部と、この操作部に一体に連設されて上記筐体に具備された開口内に回転可能に配備され、かつ、その開口の縁部の一部に形成されたガイド辺に案内されて移動することにより当該ダイヤルつまみを第１及び第２の各位置相互間でスライドさせる首部とを備え、上記突起と上記係合部とのうちの一方が上記開口の縁部の他の一部に形成されていると共に、その他方が上記首部の１箇所に形成されている、という構成を採用することが可能である。この構成であると、ガイド辺とこのガイド辺によって移動が案内される首部との共働によって、ダイヤルつまみを第１位置と第２位置との間で円滑にスライドさせることができるようになって、当該ロック装置の動作安定性が向上し、併せて、使い勝手も向上する。
【００１０】
本発明では、上記突起が上記開口の縁部の他の一部をその開口の内側に突出させることによって形成されていると共に、上記係合部が上記首部の１箇所に凹入状に形成されている、という構成を採用することが可能であり、この構成を採用することにより、筐体の成形時に同時に上記突起を成形することが可能になり、ダイヤルつまみの成形時に同時に上記係合部を成形することが可能になって、突起や係合部を別途製作する手間を省略することができるという利点がある。
【００１１】
本発明に係る携帯機器ダイヤルつまみのロック装置は、次の構成を採用することによっていっそう具体化される。すなわち、携帯機器の筐体に回転操作型のダイヤルつまみが装備されている携帯機器ダイヤルつまみのロック装置であって、上記ダイヤルつまみが、上記筐体の外側に回転操作可能に配備された操作部と、この操作部に一体に連設されて上記筐体に具備された長孔でなる開口内に回転可能に配備され、かつ、その長孔のまっすぐな縁部によって形成されたガイド辺に案内されて移動する円柱状の首部とを備えていて、この首部の外周面が上記長孔の一端側の円弧状の縁部に摺動回転自在に当接する位置がダイヤルつまみの第１位置として定められ、かつ、この首部の外周面が上記長孔の他端側の円弧状の縁部に当接する位置がダイヤルつまみの第２位置として定められていると共に、上記第１位置がダイヤルつまみの回転操作位置として、上記第２位置がダイヤルつまみのロック位置として、それぞれ定められ、突起とこの突起が係脱される係合部とのうちの突起を、上記長孔の他端側の円弧状の縁部からその長孔の内側に突出させてあるのに対して、上記係合部を上記首部の外周面の周方向の１箇所に凹入状に形成してあり、ダイヤルつまみが第１位置に位置しているときには上記突起が上記係合部から離脱した状態に保たれてダイヤルつまみの回転操作が許容され、ダイヤルつまみを回転操作方向での初期位置に位置させた状態で第１位置から第２位置にスライドさせることによって、上記突起が上記係合部に係合してダイヤルつまみの回転が阻止されるようになっていると共に、上記操作部と上記筐体の外面とに、ダイヤルつまみの上記初期位置を指し示す指標が施され、かつ、上記初期位置が、そのダイヤルつまみに割り当てられた当該携帯機器の電源オフ位置である、という構成を採用することによっていっそう具体化される。
【発明の効果】
【００１２】
以上のように、本発明によれば、携帯機器のダイヤルつまみの形状を複雑化することなく、しかも、余分な部品を追加して用いることなく、ダイヤルつまみの不慮の回転を防止することのできるロック装置を提供することが可能になる。そのため、携帯機器を安価に提供することができるものでありながら、携帯機器が故障の原因になる不慮の動作を行うという事態が未然に防止されるという効果が奏される。また、ユーザにとっては、携帯機器を被服のポケットやカバンに入れて持ち歩くときに不慮に携帯機器の電源電力が消費されてしまって使用することができなくなるといった状況が回避されるようになる。
【００１３】
特に、本発明では、回転操作型のダイヤルつまみ自体を筐体に対してスライドさせることによってダイヤルつまみのロック状態とロック解除状態とを選択できるように構成したことにより、別途指標釦を押してロックモードとロック解除モードとを選択する方式の上掲特許文献２に比べて、その操作性を向上させやすいという利点もある。
【発明を実施するための最良の形態】
【００１４】
図１は本発明のダイヤルつまみのロック装置を備える携帯機器の一例としての携帯型テレビジョン受像機の外観図であって、１は筐体、２は筐体１に装備されたダイヤルつまみ、３はアンテナをそれぞれ示している。筐体１はフロントケース１１とリアケース１２とを合わせることによって矩形箱形に形成されていて、フロントケース１１には画像表示窓１３が備わっている。
【００１５】
図２はダイヤルつまみ２の平面図であり、同図に略示したしたように、このダイヤルつまみ２には、複数箇所に選択用の動作モード表示が施されていて、ダイヤルつまみ２を回転させて所定の動作モード表示を筐体１側の指標Ｐに合わせることによって、テレビジョン受像機が選択された動作モードで動作するようになっている。動作モード表示には、たとえば、符号ａで示した電源オフ表示のほか、画像明るさや音声調整のための表示、その他の必要とされる様々な表示があり、この実施形態では、指標Ｐに電源オフ表示ａを合わせたダイヤルつまみ２の回転方向の位置が当該ダイヤルつまみ２の初期位置として規定されている。
【００１６】
図４及び図６はダイヤルつまみ２の取付構造を示した一部破断側面図である。図４又は図６のように、ダイヤルつまみ２は、上記電源オフ表示ａなどの各種表示が施された円形の操作部２１と、この操作部２１に一体に連設された短い円柱状の首部２２と、首部２２よりも径大な鍔部２３とを備えている。これに対し、筐体１には、開口１４が開設されていて、この開口１４内にダイヤルつまみ２の首部２２を配備することによって操作部２１を筐体１の外側に配備してあると共に、鍔部２３を筐体１の内側に配備することによってダイヤルつまみ２が筐体１から離脱することを防いでいる。
【００１７】
図３及び図５は上記開口とその開口内に位置しているダイヤルつまみの首部などを示した横断平面図である。図３又は図５によって判るように、筐体１に開設されている上記開口１４は、その長軸方向長さが短軸方向長さよりもやゝ長い長孔によって形成されていると共に、この開口１４を形成している長孔の短軸方向で対向しているまっすぐな２つの辺部が上記首部２２の移動を案内するガイド辺１５，１５として形成されている。図３及び図５にはガイド辺１５の長さを符号Ｌで示してある。また、長孔の一端側の円弧状の縁部１６と他端側の円弧状の縁部１７とは、それらの曲率半径が円柱状の上記首部２２の外周面の曲率半径と同等に定められている。
【００１８】
そして、首部２２の外周面が図３及び図４のように長孔の一端側の円弧状の縁部１６に当接しているときのダイヤルつまみ２の位置が第１位置であって、この第１位置でダイヤルつまみ２を図３矢印Ｒのように回転操作することによってテレビジョン受像機の所定の動作モードを選択することができるようになっている。これに対し、長孔の他端側の円弧状の縁部１７に、筐体１と一体成形されることによって長孔の内側に向けて形成された板片状の突起４１が備わり、かつ、上記首部２２の外周面の周方向の１箇所に凹入状の係合部４２が形成されている。ここで、突起４１と係合部４２とは互いに係脱可能な大きさに形成されている。
【００１９】
また、上記首部２２側の係合部４２は、第１位置でダイヤルつまみ２を回転操作してその操作部２１の電源オフ表示ａ（図２参照）を筐体１側の指標Ｐに合わせたときに、上記突起４１に開口１４を形成している長孔の長軸方向で対向するようになっている。したがって、第１位置でダイヤルつまみ２を電源オフ位置（初期位置）に回転操作した後、そのダイヤルつまみ２を図５及び図６の矢印Ａのように第２位置までスライドさせると、筐体１側の突起４１が首部２２の係合部４２に嵌合する。この状態で操作部２１を回転操作しようとしても、係合部４２に嵌合している突起４１が係合部４２に首部２２の周方向で係合するためにダイヤルつまみ２が回転することはない。ロック状態である。そして、ユーザにとっては、手の指で操作部２１を回転させて第１位置でダイヤルつまみ２を電源オフ位置（初期位置）に定めた後、同じ指でダイヤルつまみ２を第１位置から第２位置までスライドさせるという一連の動作を行うだけで、突起４１に係合部４２が係合しているロック状態を設定することができるので、ダイヤルつまみ２をロック解除状態からロック状態に移行する操作を容易にかつ迅速に行うことができて優れた使い勝手が得られる。
【００２０】
これに対し、ロック状態のダイヤルつまみ２を第２位置から図３及び図４の矢印Ｂのように第１位置までスライドさせると、筐体１側の突起４１から首部２２の係合部４２が離れて離脱する。ロック解除状態である。したがって、第１位置ではダイヤルつまみ２を回転操作することによってテレビジョン受像機の所望の動作モードを選択することが可能である。そして、ユーザにとっては、手の指で操作部２１を動かしてダイヤルつまみ２をロック位置である第２位置から動作モード選択位置である第１位置までスライドさせた後、引き続き操作部２１を同じ指で電源オン位置に回転させて動作モードを選択するという一連の動作を行うだけで、ロック状態を解除して電源オンとし、さらに動作モードを選択するという動作を容易にかつ迅速に行うことができて優れた使い勝手が得られる。
【００２１】
このテレビジョン受像機では、テレビ番組を楽しんだ後で被服のポケットやカバンに入れて持ち歩くときに、上記のようにダイヤルつまみ２を第１位置から第２位置にスライドさせてロック状態にしておくだけで、ダイヤルツマミ２が不慮に回転して電源オンになって電力が無駄に消費されたり、不慮にダイヤルつまみ２が回転して他の動作モードが選択されて故障の原因になったりすることが未然に防止される。
【００２２】
以上説明した実施形態では、突起４１が筐体１側に具備され、係合部４２がダイヤルつまみ２側に具備されているけれども、この点は、突起をダイヤルつまみ側に具備させ、係合部を筐体側に具備させることも可能である。そして、そのように突起４１や係合部４２を筐体とダイヤルつまみとに振り分けて設けておくこと、それらの突起４１や係合部４２が別部品にならずに筐体やダイヤルつまみの一部分になるので、ロック装置やロック装置を備える携帯機器の組立工程での量産性が損なわれないという利点がある。
【００２３】
ところで、ダイヤルつまみ２を第１位置で回転操作した場合、そのダイヤルつまみ２の回転に連動して筐体１に収容されている配線基板に搭載された電源回路や動作モード選択回路が制御される必要があるけれども、この実施形態のようにダイヤルつまみ２が第１位置と第２位置との間でスライドされる構成を採用すると、ダイヤルつまみ２と上記電源回路や上記動作モード選択回路との連係をどのようにするかが実際上の問題になる。この点は、たとえば、ダイヤルつまみ２に配線基板を連結しておいて、ダイヤルつまみ２をスライドさせたときには、それに連動して配線基板が筐体１内で移動するようにしたり、あるいは、筐体１内の定位置に固定されている配線基板の電源回路や動作モード選択回路を制御するための機械的スイッチ機構とダイヤルつまみ２とが、ダイヤルつまみ２のスライドによって係脱する構成を採用したり、さらには、ダイヤルつまみ２のスライドに要するストローク量（ガイド辺１５の長さＬに一致する）が図３又は図５で判るように非常に短いという点に着目してそのストローク量を吸収し得る機構を介し上記機械的スイッチ機構とダイヤルつまみ２とを連結したりしておくことによって解決することが可能である。
【００２４】
上記実施形態では、携帯機器の一例としてテレビジョン受像機を示したけれども、本発明に係るロック装置は、テレビジョン受像機以外の様々な携帯機器、たとえば、携帯型のラジオ受信機、ボイスレコーダ、プレーヤ、撮像装置といった電源オンオフ切換え用や動作モード選択用のダイヤルつまみを備える携帯機器に対して同様に適用可能である。
【図面の簡単な説明】
【００２５】
【図１】本発明に係るロック装置を備える携帯機器の一例としての携帯型テレビジョン受像機の外観図である。
【図２】ダイヤルつまみの平面図である。
【図３】筐体に備わっている開口とその開口内の第１位置に位置しているダイヤルつまみの首部などを示した横断平面図である。
【図４】第１位置に位置しているダイヤルつまみの取付構造を示した一部破断側面図である。
【図５】筐体に備わっている開口とその開口内の第２位置に位置しているダイヤルつまみの首部などを示した横断平面図である。
【図６】第２位置に位置しているダイヤルつまみの取付構造を示した一部破断側面図である。
【符号の説明】
【００２６】
１  筐体
２  ダイヤルつまみ
１４  開口
１５  ガイド辺
１６  長孔の一端側の円弧状の縁部
１７  長孔の他端側の円弧状の縁部
２１  操作部
２２  首部
４１  突起
４２  係合部
Ｐ  指標
【図１】
2008198502.tif 000003
【図２】
2008198502.tif 000004
【図３】
2008198502.tif 000005
【図４】
2008198502.tif 000006
【図５】
2008198502.tif 000007
【図６】
2008198502.tif 000008